(57)【要約】【課題】  キャップを閉じるときに親指をクリップ上部に設けたスライド部材に移動させるような面倒がなく、しかも、クリップのデザイン上の制約やキャップの閉め忘れにより衣類の汚損させることのないキャップ付印鑑を提供する。【解決手段】  一端に印字部２０を設けた把持軸部１ａの一側面にクリップ４を設けるとともに前記した印字部２０の印字面を開閉自在な印字キャップ２で覆ったキャップ付印鑑において、前記したクリップ４は、把持軸部１ａの一側面に設けた軸方向の固定レール部７に対してスライド自在に取り付けられてその一端に前記した印字キャップ２の側端部がヒンジ結合されていて、このクリップ４のスライドにより印字キャップ２の開閉が行なわれるものとするとともに、前記印字キャップ２を施蓋状態に保持するロック機構５を設けた。【選択図】  図２
2008080619.tif 000002
【特許請求の範囲】
【請求項１】
上端に印字部(20)を設けた把持軸部(1a)の一側面にクリップ(4) を設けるとともに前記した印字部(20)の印字面を開閉自在な印字キャップ(2) で覆ったキャップ付印鑑において、前記したクリップ(4) は、把持軸部(1a)の一側面に設けた軸方向の固定レール部(7) に対してスライド自在に取り付けられてその上端に前記した印字キャップ(2) の側端部がヒンジ結合されていて、このクリップ(4) のスライドにより印字キャップ(2) の開閉が行なわれるものとするとともに、前記印字キャップ(2) を施蓋状態に保持するロック機構(5) を設けてあることを特徴とするキャップ付印鑑。
【請求項２】
クリップ(4) の中間部裏面に把持軸部(1a)の側面に向う突起(14)が設けられている請求項１に記載のキャップ付印鑑。
【請求項３】
印字キャップ(2) が常時施蓋される方向に弾発するばね(9) が印字キャップ(2) の側端部に組み込まれている請求項１または２に記載のキャップ付印鑑。
【請求項４】
印字キャップ(2) を施蓋状態に保持するロック機構(5) が、固定レール部(7) の上側の下面両側縁に凹段部(7a)を設ける一方、クリップ(4) の上方内部には、遊端部が前記した凹段部(7a)に対応する内向きの係止爪部（12ａ）とされるとともに内部に押さえばね（16）を装着してある逆チャンネル状のストッパ部材（12）をその頂部に設けた押しボタン（15）のみをクリップ(4) の表面より外部に突出させて組み込んだものであり、施蓋状態では押さえばね（11）の弾発力でストッパ部材（12）が押し上げられて係止爪部（12ａ）が凹段部(7a)に係止されて固定レール部(7) に対するクリップ(4) のスライドが不能な状態に保持されるが、押しボタン（15）を押し込むと係止爪部（12ａ）と凹段部(7a)との係止が解かれてクリップ(4) がスライド自在な状態となる請求項１または２または３に記載のキャップ付印鑑。
【発明の詳細な説明】
【技術分野】
【０００１】
本発明は、主として印鑑付ボールペンのようなポケットに収納して携行する印鑑に適したキャップ付印鑑に関するものである。
【背景技術】
【０００２】
印鑑付ボールペンのようなポケットに収納して携行する印鑑に適したキャップ付印鑑としては、本出願人が先に提案した特許文献等１に見られる印判のように、上端に印字部を設けた把持軸部の一側面に一体に設けたクリップの上部にスライド部材を組み付けてこのスライド部材の上端に前記した印字部の印字面を開閉自在とする印字キャップを枢着するとともに、この印字キャップを施蓋状態に保持するロック機構を設けたもので、捺印使用時にはロックを外してスライド部材をスライドさせると、印字キャップが枢動されて印面が露呈されるまで開蓋される印判が既に知られている。
【０００３】
しかしながら、特許文献等１に記載されているものは、キャップの開閉をクリップの上部に設けたスライド部材にロック機構の押しボタンを設けてある関係上押しボタンがクリップの上部に位置しているため、特に、捺印操作を行ってキャップを片手で閉じる際、クリップ上部に設けたスライド部材に親指を移動させなければならないという面倒な操作が必要であり、また、スライド部材をクリップ上でスライドさせるため、クリップのデザインに制約が生じるうえに、キャップを閉じ忘れて筆記具をポケットに挿し込んだりすると上着やシャツが印字面に触れてインクが付着するという問題があった。
【特許文献１】特開平９−３９９３５３号公報
【発明の開示】
【発明が解決しようとする課題】
【０００４】
本発明は、前記したような問題を解決して、キャップを閉じるときに親指をクリップ上部に設けたスライド部材に移動させるような面倒がなく、しかも、クリップのデザイン上の制約やキャップの閉め忘れにより衣類の汚損させることのないキャップ付印鑑を提供することを目的とするものである。
【課題を解決するための手段】
【０００５】
前記した課題を解決した本発明のキャップ付印鑑は、一端に印字部を設けた把持軸部の一側面にクリップを設けるとともに前記した印字部の印字面を開閉自在な印字キャップで覆ったキャップ付印鑑において、前記したクリップは、把持軸部の一側面に設けた軸方向の固定レール部に対してスライド自在に取り付けられてその一端に前記した印字キャップの側端部がヒンジ結合されたものとして、このクリップのスライドにより印字キャップの開閉が行なわれるものとするとともに、前記印字キャップを施蓋状態に保持するロック機構を設けてあることを特徴とするものを基本構成とする。なお、このようなキャップ付印鑑におけるクリップは、その中間部裏面に把持軸部の側面に向う突起が設けられるものとしたり、印字キャップが常時施蓋される方向に弾発するばねが印字キャップの側端部に組み込まれているものとしておくことが好ましく、また、これらのキャップ付印鑑において、印字キャップを施蓋状態に保持するロック機構としては、固定レール部の上側の下面両側縁に凹段部を設ける一方、クリップの上方内部には、遊端部が前記した凹段部に対応する内向きの係止爪部とされるとともに内部に押さえばねを装着してある逆チャンネル状のストッパ部材をその頂部に設けた押しボタンがクリップの表面より外部に突出するように組み込んだものとして、施蓋状態では押さえばねの弾発力でストッパ部材が押し上げられて係止爪部が凹段部に係止されることにより固定レール部に対するクリップのスライドが不能な状態に保持されるが、押しボタンを押し込むと係止爪部と凹段部との係止が解かれてクリップがスライド自在な状態となるように構成しておくことが製造上からも体裁上からも一層好ましいものとなる。
【発明の効果】
【０００６】
このような本発明は、クリップを把持軸部の一側面に設けた軸方向の固定レール部に対してスライド自在に取り付けられたものとして、このクリップの一端に前記した印字キャップの側端部をヒンジ結合するとともに、前記印字キャップを施蓋状態に保持するロック機構を設けたものとしたから、相当の長さのクリップ自体を操作することにより印字キャップを開蓋状態から施蓋状態に復帰することができることとなり、指との接触面積が増すうえに開かれた状態にある印字キャップを閉じるときの指の移動量を少なくすることができるので、操作性が大幅に向上することとなり、また、クリップ自体をスライドさせるようにしたのでクリップのデザインに制約がなくなり、デザイン性を高めることができる。
【０００７】
また、クリップの中間部裏面に把持軸部の側面に向う突起を設けたものは、印字キャップを閉め忘れてポケットに筆記具を差し込んでも、突起がポケットの上縁に当たるとクリップは自動的にスライドして印字キャップを閉じるので、上着やシャツが印字面に触れて汚損されることがない。
【０００８】
さらに、印字キャップを常時施蓋される方向に弾発するばねが印字キャップの側端部に組み込まれていることにより、印字キャップを開いたとき、印字キャップは固定レール部に圧接されるので、捺印時にクリップが重力により下降して印字キャップが閉じられることがなくなって捺印不良を生じさせることがない。
【０００９】
さらにまた、印字キャップを施蓋状態に保持するロック機構を、固定レール部の上側の下面両側縁に凹段部を設ける一方、クリップの上方内部には、遊端部が前記した凹段部に対応する内向きの係止爪部とされるとともに内部に押さえばねを装着してある逆チャンネル状のストッパ部材をその頂部に設けた押しボタンがクリップの表面より外部に突出するように組み込んだものとして、施蓋状態では押さえばねの弾発力でストッパ部材が押し上げられて係止爪部が凹段部に係止されることにより固定レール部に対するクリップのスライドが不能な状態に保持されるが、押しボタンを押し込むと係止爪部と凹段部との係止が解かれてクリップがスライド自在な状態となるように構成しておくことにより、簡単な構造で確実にロックが行われるロック機構を提供することができる。
【発明を実施するための最良の形態】
【００１０】
以下、図１〜図７に示した印鑑付ボールペンを好ましい実施の形態として本発明を詳細に説明する。
図１において、１は万年筆やボールペン等の筆記具本体であり、その把持軸部１ａの上端には印字キャップ２により印字面を開閉自在とした印鑑３が取り付けられるとともに、把持軸部１ａの上部一側面にはクリップ４が設けられている。
【００１１】
前記した印字キャップ２は、図２に示されるように、クリップ４の一端に側端部をもってヒンジ結合され、ロック機構５を設けた開閉機構６により開閉されるものであり、ロック機構５により施蓋状態が保持されるようになっている。
【００１２】
開閉機構６は、図２に示されるように、筆記具本体１の把持軸部１ａの上部一側面に取り付けられた固定レール部７と、この固定レール部７にスライド自在に取り付けられるクリップ４と、印字面を覆う印字キャップ２と、印字キャップ２を施蓋状態に保持するロック機構５とからなり、クリップ４の側端部にヒンジ結合される印字キャップ２は、ばね９により常時施蓋方向に弾発されるとともに、開蓋状態ではばね９の弾発力により固定レール部７の上面に下面が圧接されて開蓋状態が保持されるようになっており、また、前記したばね９はその一端を印字キャップ２に係止させる一方、他端をクリップ４のストッパ片に係止させている。さらに、前記した固定レール部７は把持軸部１ａの上部一側面に連結用突部を介して取付けられたもので、図５に示されるように、ロック機構５のストッパ部材１２の係止爪部１２ａを係止させる凹段部７ａが両側縁下面に形成されている。
【００１３】
また、図２に示されるようにクリップ４の表側内面にはストッパ部材１２の天板面を嵌合係止させる凹段部１３ａを形成する裏当て材１３が取り付けられており、さらに、クリップ４の中間部裏面には筆記具本体１をポケットに挿し込む際にクリップ４を自動的に上昇させて印字キャップ２を施蓋する突起１４が形成されている。
【００１４】
前記したロック機構５は、図２に示されるように、固定レール部７の上側の下面両側縁に凹段部７ａを設ける一方、クリップ４の上方内部には、遊端部が前記した凹段部７ａに対応する内向きの係止爪部１２ａとされるとともに内部に押さえばね１６を装着してある逆チャンネル状のストッパ部材１２をその頂部に設けた押しボタン１５のみをクリップ４の表面より外部に突出させて組み込んだものであり、筆記時には、ロック機構５のストッパ部材１２の係止爪部１２ａは固定レール部７の凹段部７ａに係合してクリップ４をロック状態にするが、捺印時には押しボタン１５を押すことによりロックは解除されクリップ４はスライド自在な状態となり印字キャップ２を開放することができるようになっている。
【００１５】
なお、印鑑３は図２に示されるように、多孔質材よりなる印字体２０と、インク吸蔵体２１と、インク吸蔵体２１を印字体２０に圧接させる押圧機構２２と、これらを装着する収納ケース２３とからなり、また、収納ケース２３は円筒状として、中間部外周縁に形成された外鍔部２３ａをもって把持軸部１ａに嵌着されるとともに、上端縁に印字体２０をその下端面をもって支持させ、さらに、上部外周縁に印字体２０の上面周縁を係止する受金２４を嵌着させている。また、収納ケース２３の下端には押圧機構２２が設けられて印字体２０の底面に一定の圧力でインク吸蔵体２１が圧着されるようになっている。
【００１６】
さらに、押圧機構２２は図２に示されるように収納ケース２３の下部に嵌着される短筒体２５と、該短筒体２５のばね受筒部２５ａに下端のガイド筒部２７ａがスライド自在に嵌挿されるとともに、中間外鍔部２７ｂにばね２６を係止させてその弾発力が印字体２０に与えられるようにしたインク吸蔵体受２７とからなる。また、前記中間外鍔部２７ｂは短筒体２５の内鍔部２５ｂと係止されてインク吸蔵体受２７が短筒体２５から離脱されないようになっている。また、短筒体２５とインク吸蔵体受２７間には空気流通路が形成されてインク吸蔵体２７に大気圧が加えられるようになっている。
【００１７】
このように構成されたものは、筆記具として使用するときは筆記具本体１の把持軸部１ａを把持して筆記を行うもので、捺印を行う場合は、開閉機構６としてのクリップ４に設けられているロック機構５の押しボタン１５を親指で押圧してストッパ部材１２の固定レール部７との係合を解いてロックを解除しつつ、クリップ４を押し下げれば、印字キャップ２はクリップ４のヒンジ結合部を中心として枢動して開蓋され、さらに印字キャップ２の下面を固定レール部７上に沿わせて印字キャップ２が紙面に触れない位置まで下降させる。
【００１８】
このようにして印字キャップ２が開放されると、ばね９の弾発力により印字キャップ２は固定レール部７に圧接されて動き止めされるので、印字体２０の印字面を捺印紙面に押し当てて捺印を行えばよい。そして、捺印が終わったら、クリップ４の下端あるいは上面を親指で押し上げてクリップ４を上方にスライドさせればばね９の弾発力により印字キャップ２は自動的に印字面を覆うこととなる。そして、印字キャップ２が施蓋された状態になると、開閉機構６のロック機構５はそのストッパ部材１２の天井面は凹段部１３ａ位置に配置され係止爪部１２ａは固定レール部７の凹段部７ａ位置に配置されるの天井面は凹段部１３ａに係止され係止爪部１２ａは凹段部７ａに係止されて自動的にロックされることとなる。
【００１９】
また、うっかり印字キャップ２を閉じ忘れたまま筆記具本体１を上着やシャツのポケットに挿し込んだ場合は、クリップ４の中間部裏面に設けられる突起１４はポケットの上縁に当接されるので、筆記具本体１の挿し込み動作によりクリップ４は自動的に上方にスライドして印字キャップ２は自動的に閉じられることとなり、上着やシャツ等が印字面に触れてインクが付着することは的確に防止される。
【００２０】
なお、前記説明は印鑑付筆記具の代表例である印鑑付ボールペンについてのみであるが、その他の印鑑付筆記具は勿論のこと、一側面にクリップを備えた把持軸部の上端に印字部を設けるとともにこの印字部の印字面を開閉自在な印字キャップで覆った全てのキャップ付印鑑に有効であることは勿論である。
【図面の簡単な説明】
【００２１】
【図１】本発明の好ましい実施の形態を示す一部切欠正面図である。
【図２】同じく要部を拡大して示す一部切欠正面図である。
【図３】同じく底面図である。
【図４】ロック機構を示す一部切欠斜視図である。
【図５】固定レール部を示す斜視図である。
【図６】印字キャップを開放した状態を示す一部切欠正面図である。
【図７】同じく底面図である。
【符号の説明】
【００２２】
1a  把持軸部
２  印字キャップ
４  クリップ
５  ロック機構
７  固定レール部
7a  凹段部
９  ばね
14  突起
16  押さえばね
20  印字部
【図１】
2008080619.tif 000003
【図２】
2008080619.tif 000004
【図３】
2008080619.tif 000005
【図４】
2008080619.tif 000006
【図５】
2008080619.tif 000007
【図６】
2008080619.tif 000008
【図７】
2008080619.tif 000009